(57)【要約】  事前に登録しておく必要のある音声信号の種類が少なくて済み、事前登録作業にかかる手間を低減することができるエレベータの制御装置を提供する。このため、利用者の音声を音声信号として出力するマイクロホンを用いて音声認識により呼び登録を行うエレベータの制御装置において、画像を表示する表示器に、呼び登録を行う対象として選択可能である対象のうちの１つを特定する画像を表示させる表示器制御手段と、呼び登録を行う対象を指定するために用いる所定の音声の音声信号を、登録音声信号として予め記憶する記憶手段と、マイクロホンからの音声信号と登録音声信号とを比較し、これらが合致した場合に制御信号を出力する音声認識手段と、を備え、表示器制御手段は、音声認識手段からの制御信号の受信時において表示器に表示させている画像により特定される対象を呼び登録を行う対象とする登録情報を出力する構成とする。
2011027442.tif 000002
【特許請求の範囲】
【請求項１】
エレベータの利用者が発した音声の入力を受け音声信号として出力するマイクロホンを用いて音声認識により呼び登録を行うエレベータの制御装置において、
画像を表示する表示器と、
前記表示器の表示内容の制御を行い、前記表示器に、呼び登録を行う対象として選択可能である対象のうちの１つを特定する画像を表示させる表示器制御手段と、
呼び登録を行う対象を指定するために用いる所定の音声の音声信号を、登録音声信号として予め記憶する記憶手段と、
前記マイクロホンから出力される前記音声信号と前記記憶手段から取得した前記登録音声信号とを比較し、これらが合致した場合に制御信号を前記表示器制御手段へと出力する音声認識手段と、を備え、
前記表示器制御手段は、前記音声認識手段からの前記制御信号を受信した場合に、この前記制御信号の受信時において前記表示器に表示させている画像により特定される対象を呼び登録を行う対象とする登録情報を、呼び登録を行うエレベータ制御装置本体へと出力することを特徴とするエレベータの制御装置。
【請求項２】
前記表示制御手段は、前記表示器に表示される画像により前記特定される１つの対象が、所定の周期ごとに１つずつ変わるように、前記表示器の表示内容を制御することを特徴とする請求項１に記載のエレベータの制御装置。
【請求項３】
前記マイクロホン及び前記表示器は、前記エレベータの乗りかご内に設けられ、
前記呼び登録を行う対象は、前記エレベータが停止可能である階床であり、
前記表示制御手段は、前記エレベータが停止可能である階床のうちの１つの階床を特定する画像を前記表示器に表示させるよう制御するとともに、前記音声認識手段からの前記制御信号の受信時において前記表示器に表示させている画像により特定される階床を呼び登録を行う対象とする登録情報を、前記エレベータ制御装置本体へと出力することを特徴とする請求項１又は請求項２のいずれかに記載のエレベータの制御装置。
【請求項４】
前記マイクロホン及び前記表示器は、前記エレベータの乗場に設けられ、
前記呼び登録を行う対象は、前記エレベータの進行方向であり、
前記表示制御手段は、前記エレベータの進行方向のうちの１つの進行方向を特定する画像を前記表示器に表示させるよう制御するとともに、前記音声認識手段からの前記制御信号の受信時において前記表示器に表示させている画像により特定される進行方向を呼び登録を行う対象とする登録情報を、前記エレベータ制御装置本体へと出力することを特徴とする請求項１又は請求項２のいずれかに記載のエレベータの制御装置。
【発明の詳細な説明】
【技術分野】
【０００１】
この発明は、エレベータの制御装置に関するものである。
【背景技術】
【０００２】
従来におけるエレベータの制御装置においては、エレベータ利用者が両手に荷物を持っており、ボタン操作が困難である場合等における便宜を考慮して、エレベータの乗場やかご内にマイクロホンを設置しておき、音声認識によって昇り方向、降り方向や行先階の呼び登録を可能とするものが知られている。
このようなエレベータの制御装置としては、エレベータの乗場に設置されたマイクロホンと、このマイクロホンの前にエレベータ利用者が立っているかどうかを検出する人検出手段と、この人検出手段からの人検出信号がある時にのみ前記マイクロホンに入力される音声信号を予め登録されている音声と比較し、音声信号が登録音声と一致した場合に呼び登録信号を発する音声認識手段と、を備えることにより、雑音による音声認識率の低下を防ぐとともに誤った呼び登録を減少させ、運転効率の向上を図ったものが知られている（例えば、特許文献１参照）。
また、同様の呼び登録装置を乗りかご内に設けることで、音声認識によりかご行先階呼び登録を行うものも知られている。
【先行技術文献】
【特許文献】
【０００３】
【特許文献１】日本特許第２５５７９３９号公報
【発明の概要】
【発明が解決しようとする課題】
【０００４】
しかしながら、特許文献１に示されたものをはじめとする従来におけるエレベータの制御装置においては、利用者に登録したいボタンの名称（乗場であれば上／下、かご内であれば階床名（１階、２階等））を発声させ、この音声を認識することを前提としている。
従って、このような従来技術においては、当該エレベータが停止する全ての階床名や進行方向を表す音声信号を事前に登録しておくことが必要となり、この事前登録作業が煩雑で手数がかかるという課題がある。【０００５】
すなわち、例えば、当該エレベータの停止する階床が全部で１２階床である場合、事前に登録することが必要な音声信号は、階床名を表すものとして、「イッカイ（１階）」、「ニカイ（２階）」・・・といった音声信号の他、「イチ（１）」、「ニ（２）」・・・といった「カイ（階）」を省略した音声信号、さらに、同一の階床につき複数の発音がある場合にはこの同一の階床を表す複数種類の音声信号（例えば「ジッカイ」と「ジュッカイ」（共に１０階を表す）など）等の多くの音声信号の事前登録が必要であった。【０００６】
また、従来におけるエレベータの制御装置は、予め登録したおいた音声信号とマイクロホンに入力された音声信号とを比較し、入力された音声信号が登録された音声信号と一致した場合に当該一致した音声信号に対応する呼びの登録を行うため、事前に登録される音声信号の種類が多くなるほど、利用者が発声した音声を利用者の意図したものとは異なるものとして誤って認識してしまい、呼び登録装置に誤った呼びが登録されてしまう可能性が高くなってしまうという課題もある。【０００７】
この発明は、このような課題を解決するためになされたもので、第１の目的は、事前に登録しておく必要のある音声信号の種類が少なくて済み、事前登録作業にかかる手間を低減することができるエレベータの制御装置を得るものである。
また、第２の目的は、音声認識において照合すべき登録音声の種類を限定することが可能であって、音声認識の誤認識率を低減することができるエレベータの制御装置を得るものである。
【課題を解決するための手段】
【０００８】
この発明に係るエレベータの制御装置は、エレベータの利用者が発した音声の入力を受け音声信号として出力するマイクロホンを用いて音声認識により呼び登録を行うエレベータの制御装置において、画像を表示する表示器と、前記表示器の表示内容の制御を行い、前記表示器に、呼び登録を行う対象として選択可能である対象のうちの１つを特定する画像を表示させる表示器制御手段と、呼び登録を行う対象を指定するために用いる所定の音声の音声信号を、登録音声信号として予め記憶する記憶手段と、前記マイクロホンから出力される前記音声信号と前記記憶手段から取得した前記登録音声信号とを比較し、これらが合致した場合に制御信号を前記表示器制御手段へと出力する音声認識手段と、を備え、前記表示器制御手段は、前記音声認識手段からの前記制御信号を受信した場合に、この前記制御信号の受信時において前記表示器に表示させている画像により特定される対象を呼び登録を行う対象とする登録情報を、呼び登録を行うエレベータ制御装置本体へと出力する構成とする。
【発明の効果】
【０００９】
この発明に係るエレベータの制御装置においては、事前に登録しておく必要のある音声信号の種類が少なくて済み、事前登録作業にかかる手間を低減することができるという効果を奏する。
また、音声認識において照合すべき登録音声の種類を限定することが可能であって、音声認識の誤認識率を低減することができるという効果も併せ奏する。
【図面の簡単な説明】
【００１０】
【図１】この発明の実施の形態１に係るエレベータの制御装置の全体構成を示すブロック図である。
【図２】この発明の実施の形態１に係る表示器制御手段及び表示器の表示動作を示すフロー図である。
【図３】この発明の実施の形態１に係る表示器の表示例を示す図である。
【図４】この発明の実施の形態２に係るエレベータの制御装置の全体構成を示すブロック図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１から図３は、この発明の実施の形態１に係るもので、図１はエレベータの制御装置の全体構成を示すブロック図、図２はエレベータの制御装置の動作を示すフロー図、図３は表示器の表示例を示す図である。
図において１はエレベータの図示しない昇降路内に昇降自在に配置された乗りかごであり、この乗りかご１の昇降を含む当該エレベータの運転全般は、エレベータ制御装置本体２により制御される。
【００１３】
乗りかご１内には、このエレベータの利用者が操作することにより、所望する階床を行先階とするかご行先階呼びを登録するための行先階登録ボタン３が、各行先階に対応して設置されている。利用者がこの行先階登録ボタン３を操作すると、その操作状況はエレベータ制御装置本体２へと送信される。そして、行先階登録ボタン３の操作状況に応じて呼び登録がエレベータ制御装置本体２により行われる。また、エレベータ制御装置本体２は行先階登録ボタン３の操作状況に応じて行先階登録ボタン３のボタン灯の点灯制御等を行う。
【００１４】
乗りかご１内には利用者が発声する音声の入力を受け、内蔵するアナログ／デジタル（Ａ／Ｄ）変換器により音声をデジタル電気信号に変換して出力するマイクロホン４が設置されている。そして、このマイクロホン４を介して入力された利用者の発声した音声情報は、音声認識手段５により音声認識される。
【００１５】
記憶手段６には、呼び登録を行う対象を指定するために用いる所定の音声について、その音声を表す電気信号が登録音声信号７として予め記憶されている。この呼び登録を行う対象を指定するために用いる所定の音声は、例えば「ストップ」、「止まれ」、「そこ」等の簡単な音声であることが好ましい。
また、記憶手段６には、当該エレベータ（の乗りかご１）が停止可能である階床名も予め記憶されている。
具体的に例えば、当該エレベータの設置されている建物が１２階建てであり、乗りかご１が停止可能である階床が１階から１２階の１２階床ある場合においては、１階、２階、・・・、１２階というのが当該エレベータが停止可能である階床名である。
【００１６】
音声認識手段５は、記憶手段６から予め記憶された登録音声信号７を取得し、マイクロホン４に入力された利用者の発声した音声情報のデジタル音声信号とこの登録音声信号７との比較を行い、これらの音声信号が合致するか否かについて判断を行う。
そして、マイクロホン４からのデジタル音声信号と記憶手段６からの登録音声信号７とが合致している場合、利用者がマイクロホン４に対して呼び登録を行う対象を指定するために用いる所定の音声を発声したとして、制御信号８を表示器制御手段１０へと送信する。
【００１７】
乗りかご１内には、液晶ディスプレイやプラズマディスプレイ、ＬＥＤ、ブラウン管等の画像表示装置からなる表示器９が設置されている。この表示器９の表示動作すなわち表示される画像の内容は表示器制御手段１０により制御されている。
表示器９は、表示器制御手段１０から出力される表示指示信号に基づいて、呼び登録を行う対象として選択可能である対象のうちの１つを特定し、任意の一対象が選択可能である画像を、所定の周期（例えば２秒）ごとに１つずつ順に特定される対象を変えて表示する。
【００１８】
すなわち、先の例で言えば、当該エレベータの設置されている建物が１２階建てであり、乗りかご１が停止可能である階床が１階から１２階の１２階床ある場合において、まず呼び登録を行う対象として最下階の１階が特定される画像を表示し、次に前記所定の周期の一周期である２秒の経過後に呼び登録の対象として２階が特定される画像を表示する。
そして、その後も順に３階や４階が対象として特定される画像を前記所定の周期で順に表示していき、最上階の１２階が対象として特定される画像を表示した後は、再び最下階の１階が対象として特定される画像に戻って表示し、以下、前記所定の周期でこの循環的な表示を繰り返す。
なお、この際、呼び登録を行う対象として表示器９に表示する階床名は、記憶手段６に予め記憶された階床名を、表示器制御手段１０が記憶手段から取得したものが用いられる。
【００１９】
表示器制御手段１０は、音声認識手段５から音声認識成功時、すなわち、利用者がマイクロホン４に対して呼び登録を行う対象を指定するために用いる所定の音声を発声したことが確認された場合、に出力される制御信号８を受信すると、この受信時点において表示器９に表示されている画像により特定される対象を呼び登録対象とする登録情報１１を、エレベータ制御装置本体２へと送信する。
そして、エレベータ制御装置本体２は、この受信した登録情報１１によって特定される対象を呼び登録の対象とする呼び登録を行うとともに、当該呼び登録の対象に対応する行先階登録ボタン３のボタン灯を点灯させる。
【００２０】
図２のフロー図は、この実施の形態における表示器制御手段による表示器の表示動作の制御動作を示すものである。
まず、ステップＳ１において、表示器制御手段１０は、カウンタ変数ＣＯＵＮＴに１を代入してカウンタ変数ＣＯＵＮＴの初期化を行う。
【００２１】
次のステップＳ２において、表示器制御手段１０は、前回表示指示信号を出力してから前記所定の周期の一周期である一定期間（例えば２秒間）を経過したか否かについて確認を行う。この確認において、まだ前回表示指示信号を出力してから前記一定期間を経過していないことが確認された場合には、前回表示指示信号を出力してから前記一定期間を経過するまでこのステップＳ２を繰り返して待機し、前回表示指示信号を出力してから前記一定期間を経過したことが確認された場合には、ステップＳ３へと進む。
【００２２】
ステップＳ３では、表示器制御手段１０は、現在のカウンタ変数ＣＯＵＮＴの値に対応する階床名が、呼び登録を行う対象として特定される画像を表示するよう、表示器９へと表示指示信号を送信する。また、表示指示信号を出力すると同時に、この表示指示信号を出力した時点からの経過時間の計測を開始する。
【００２３】
ここで、カウンタ変数ＣＯＵＮＴの値と階床名について、ＣＯＵＮＴ値「１」に対しては当該エレベータ（の乗りかご１）が停止可能な階床のうちの最下階の階床名を、ＣＯＵＮＴ値「２」に対しては当該エレベータが停止可能な階床のうちの最下階より１つ上の階床の階床名を、ＣＯＵＮＴ値が１増加するごとに１階床上がった階床名を順に対応させて割り当て、ＣＯＵＮＴ値が当該エレベータが停止可能な階床数（以下、当該エレベータの「停止数」という）に対しては当該エレベータが停止可能な階床のうちの最上階の階床名を対応させる。
【００２４】
従って、具体的に先の例で言えば、当該エレベータの設置されている建物が１２階建てであり、乗りかご１が停止可能である階床が１階から１２階の１２階床ある場合において、ＣＯＵＮＴ値「１」に対しては最下階である「１階」の階床名が、ＣＯＵＮＴ値「２」に対しては最下階より１つ上の階床である「２階」の階床名が、それぞれ対応し、ＣＯＵＮＴ値が停止数に対しては最上階の階床名である「１２階」が対応する。
【００２５】
そして、続くステップＳ４において、表示器制御手段１０は、カウンタ変数ＣＯＵＮＴの値をインクリメントし、すなわち、現在のＣＯＵＮＴの値に１を加えた値を新たにＣＯＵＮＴの値として代入する。
次のステップＳ５において、表示器制御手段１０は、カウンタ変数ＣＯＵＮＴの値が前記停止数を超えているか否かについて確認を行う。この確認において、ＣＯＵＮＴの値が前記停止数を超えていることが確認された場合には、ステップＳ１へと戻りカウンタ変数ＣＯＵＮＴを初期化して、以上説明した動作フローを繰り返す。
【００２６】
一方、ステップＳ５の確認において、ＣＯＵＮＴの値が前記停止数以下であることが確認された場合には、ステップＳ２へと戻りカウンタ変数ＣＯＵＮＴは初期化されずにステップＳ４でインクリメントされた値で、以上説明した動作フローを繰り返す。
このようにして、カウンタ変数ＣＯＵＮＴの値は１以上かつ前記停止数以下に維持され手いる。表示器制御手段１０はＣＯＵＮＴの値を参照することで、現在表示器９に表示されている画像により特定される対象となる階床名が、何であるかを把握することが可能である。
【００２７】
図３は、表示器９に表示される呼び登録を行う対象として選択可能である対象のうちの１つを特定し、任意の一対象が選択可能である画像の例を示すものである。
図３の（ａ）は、表示器９に呼び登録を行う対象として特定される階床名を１つずつ周期的に循環させて表示するものである。
【００２８】
図３の（ｂ）は、表示器９には呼び登録を行う対象として選択可能である階床名の全てをタイル状に表示する。このうちの１つの階床名を表示するエリアの枠線の太さを他の階床名を表示するエリアの枠線の太さとは変化させる（例えばここではある１つの階床名の枠線の太さを他の階床名の枠線の太さより太くする）ことにより、ある１つの階床名を特定する。そして、このように他とは異なる枠線の太さで特定される対象を、周期的に循環させて表示するものである。
【００２９】
また、図３の（ｃ）は、表示器９には呼び登録を行う対象として選択可能である階床名の全てをタイル状に表示する。このうちの１つの階床名を表示するエリアの文字色と背景色とを反転することにより、ある１つの階床名を特定する。そして、このように文字色と背景色とが反転されることで特定される対象を、周期的に循環させて表示するものである。
なお、以上の図３（ａ）、（ｂ）及び（ｃ）は一例に過ぎず、呼び登録を行う対象として選択可能である対象のうちの１つを特定し、任意の一対象が選択可能である画像であれば、いずれの画像も用いることが可能である。
【００３０】
このように構成されたエレベータの制御装置は、以下のようにして動作する。
すなわち、まず、表示器制御手段１０は前述した図２の動作フローに従いカウント変数ＣＯＵＮＴを用いて、表示器９に対して、呼び登録を行う対象として選択可能である対象（階床名）のうちの１つを特定し、任意の一対象が選択可能である画像を、前記所定の周期ごとに１つずつ順に特定される対象（階床名）を変えて循環的に表示するよう表示指示信号を出力している。
この表示指示信号を受けて、表示器９は前述した図３に示した例のごとく、呼び登録を行う対象として選択可能である対象（階床名）のうちの１つを特定し、任意の一対象が選択可能である画像を、前記所定の周期ごとに１つずつ順に特定される対象（階床名）を変えて循環的に表示している。
【００３１】
そして、当該エレベータの利用者は、表示器９に表示される画像を見ながら、自身がかご行先階登録の対象（行先階）として所望する階床名が、表示器９の画像において特定されたときに、呼び登録を行う対象を指定するために用いる前記所定の音声を発声する。
そうすると、マイクロホン４を介して入力された利用者の発声した音声信号と、記憶手段６から取得された前記所定の音声の登録音声信号７と、の比較が音声認識手段５により行われ、これらの音声信号が合致している場合には、制御信号８が表示器制御手段１０へと送信される。
【００３２】
この制御信号８を受信した表示器制御手段１０は、現在のカウンタ変数ＣＯＵＮＴの値を参照し、このＣＯＵＮＴの値に対応する階床名を記憶手段６から取得して、この階床名を登録情報１１としてエレベータ制御装置本体２へと出力する。
そして、この登録情報１１を受信したエレベータ制御装置本体２は、当該登録情報１１によって特定される階床名を行先階とするかご行先階呼び登録を行うとともに、当該呼び登録の行先階に対応する行先階登録ボタン３のボタン灯を点灯させる。
【００３３】
以上のように構成されたエレベータの制御装置は、エレベータの利用者が発した音声の入力を受け音声信号として出力するマイクロホンを用いて音声認識により呼び登録を行うエレベータの制御装置において、画像を表示する表示器と、表示器の表示内容の制御を行い、表示器に、呼び登録を行う対象として選択可能である対象のうちの１つを特定する画像を表示させる表示器制御手段と、呼び登録を行う対象を指定するために用いる所定の音声の音声信号を、登録音声信号として予め記憶する記憶手段と、マイクロホンから出力される音声信号と記憶手段から取得した登録音声信号とを比較し、これらが合致した場合に制御信号を表示器制御手段へと出力する音声認識手段と、を備え、表示器制御手段は、音声認識手段からの制御信号を受信した場合に、この制御信号の受信時において表示器に表示させている画像により特定される対象を呼び登録を行う対象とする登録情報を、呼び登録を行うエレベータ制御装置本体へと出力する。
【００３４】
また、表示制御手段は、表示器に表示される画像により特定される１つの対象が、所定の周期ごとに１つずつ変わるように、表示器の表示内容を制御する。
そして、マイクロホン及び表示器は、エレベータの乗りかご内に設けられ、呼び登録を行う対象は、エレベータが停止可能である階床であり、表示制御手段は、エレベータが停止可能である階床のうちの１つの階床を特定する画像を表示器に表示させるよう制御するとともに、音声認識手段からの制御信号の受信時において表示器に表示させている画像により特定される階床を呼び登録を行う対象とする登録情報を、エレベータ制御装置本体へと出力する。
【００３５】
このため、乗りかご内で音声認識によりかご行先階呼び登録を行うエレベータの制御装置において、事前に登録しておく必要のある音声信号は、「ストップ」等の簡単な音声である呼び登録を行う対象を指定するために用いる所定の音声だけでよく、種類が少なくて済み、事前登録作業にかかる手間を低減することができる。
また、従って、音声認識において照合すべき登録音声の種類を限定することが可能であって、音声認識の誤認識率を低減することができる。
【００３６】
実施の形態２．
図４は、この発明の実施の形態２に係るもので、エレベータの制御装置の全体構成を示すブロック図である。
前述した実施の形態１は、本願発明に係るエレベータの制御装置を、エレベータの乗りかご内に設けられ、ある階床を行先階とするかご行先階呼び登録を行うための呼び登録装置に適用したものであったが、ここで説明する実施の形態２は、エレベータの乗場に設けられ、上方向又は下方向の乗場呼び登録を行うための呼び登録装置に本願発明を適用したものである。
【００３７】
すなわち、当該エレベータの乗りかご１が停止する各階床に設けられた乗場１２には、当該エレベータの利用者が操作することにより、上方向及び下方向のうち所望する方向の呼びを登録するための乗場呼び登録ボタン１３が、上方向及び下方向のそれぞれに対応して設置されている。利用者がこの乗場呼び登録ボタン１３を操作すると、その操作状況はエレベータ制御装置本体２へと送信される。そして、乗場呼び登録ボタン１３の操作状況に応じて呼び登録がエレベータ制御装置本体２により行われる。また、エレベータ制御装置本体２は乗場呼び登録ボタン１３の操作状況に応じて乗場呼び登録ボタン１３のボタン灯の点灯制御等を行う。
【００３８】
また、乗場１２には、実施の形態１の乗りかご１内に設けられたものと同様のマイクロホン４及び表示器９も設置されている。
このうち表示器９については、実施の形態１同様、表示器制御手段１０からの表示指示信号によりその表示内容が制御されているが、この表示器９に表示される、呼び登録を行う対象として選択可能である対象のうちの１つを特定し、任意の一対象が選択可能である画像に関して、実施の形態１においては、呼び登録を行う対象が階床名であったのに対し、この実施の形態２においては呼び登録を行う対象が呼びの方向である点が異なる。
【００３９】
すなわち、具体的には、まず呼び登録を行う対象として上方向が特定される画像を表示し、次に前記所定の周期の一周期の経過後に、呼び登録の対象として下方向が特定される画像を表示する。そして、以降は前記所定の周期で、上方向が特定される画像と下方向が特定される画像とを交互に表示する。
なお、この際、呼び登録を行う対象として表示器９に表示する進行方向を表す画像は、記憶手段６に予め記憶されたものを、表示器制御手段１０により記憶手段６から取得されて用いられる。ここで、上方向を表す画像としては「上」の文字又は上矢印等を、下方向を表す画像としては「下」の文字又は下矢印等を、それぞれ用いることが考えられる。
【００４０】
この実施の形態における表示器制御手段による表示器の表示動作の制御動作は、前述した実施の形態１と同様であり、図２に示すとおりである。
ここで、カウンタ変数ＣＯＵＮＴの値と呼びの方向について、ＣＯＵＮＴ値「１」に対しては上方向を、ＣＯＵＮＴ値「２」に対しては下方向を、それぞれ対応させて割り当て、前記停止数は「２」とすればよい。
【００４１】
また、表示器９に表示される呼び登録を行う対象として選択可能である対象のうちの１つを特定し、任意の一対象が選択可能である画像の例としても、前述した実施の形態１と同様のものが挙げられ、図３に示すとおりである。
ここで、実施の形態１において乗りかご１内に設置した場合における階床名に替えて、この実施の形態２においては呼びの方向として上方向及び下方向を表示することになる。この際、前述したように上方向を表す画像としては「上」の文字又は上矢印等を、下方向を表す画像としては「下」の文字又は下矢印等を、それぞれ用いることが考えられる。
なお、他の構成については実施の形態１と同様であるため、その詳細説明は省略する。
【００４２】
このように構成されたエレベータの制御装置は、以下のようにして動作する。
すなわち、まず、表示器制御手段１０は前述した図２の動作フローに従いカウント変数ＣＯＵＮＴを用いて、表示器９に対して、呼び登録を行う対象として選択可能である対象（進行方向）のうちの１つを特定し、任意の一対象が選択可能である画像を、前記所定の周期ごとに１つずつ順に特定される対象（進行方向）を変えて循環的に表示するよう表示指示信号を出力している。
【００４３】
この表示指示信号を受けて、表示器９は、呼び登録を行う対象として選択可能である対象（進行方向）のうちの１つを特定し、任意の一対象が選択可能である画像を、前記所定の周期ごとに１つずつ順に特定される対象（進行方向）を変えて循環的に表示している。
つまり、この実施の形態において具体的には、表示器９は、呼び登録を行う対象として上方向が特定される画像と、呼び登録の対象として下方向が特定される画像とを、前記所定の周期で交互に表示している。
【００４４】
そして、当該エレベータの利用者は、表示器９に表示される画像を見ながら、自身が乗場呼び登録の対象として所望する進行方向が、表示器９の画像において特定されたときに、呼び登録を行う対象を指定するために用いる前記所定の音声を発声する。
そうすると、マイクロホン４を介して入力された利用者の発声した音声信号と、記憶手段６から取得された前記所定の音声の登録音声信号７と、の比較が音声認識手段５により行われ、これらの音声信号が合致している場合には、制御信号８が表示器制御手段１０へと送信される。
【００４５】
この制御信号８を受信した表示器制御手段１０は、現在のカウンタ変数ＣＯＵＮＴの値を参照し、このＣＯＵＮＴの値に対応する進行方向を記憶手段６から取得して、この進行方向を登録情報１１としてエレベータ制御装置本体２へと出力する。
そして、この登録情報１１を受信したエレベータ制御装置本体２は、当該登録情報１１によって特定される進行方向を対象とする乗場呼び登録を行うとともに、当該呼び登録の進行方向に対応する乗場呼び登録ボタン１３のボタン灯を点灯させる。
【００４６】
以上のように構成されたエレベータの制御装置においては、マイクロホン及び表示器は、エレベータの乗場に設けられ、呼び登録を行う対象は、エレベータの進行方向（上方向及び下方向）であり、表示制御手段は、エレベータの進行方向のうちの１つの進行方向（上方向又は下方向）を特定する画像を表示器に表示させるよう制御するとともに、音声認識手段からの制御信号の受信時において表示器に表示させている画像により特定される進行方向を呼び登録を行う対象とする登録情報を、エレベータ制御装置本体へと出力する。
このため、乗場で音声認識により乗場呼び登録を行うエレベータの制御装置において、実施の形態１と同様の効果を奏することができる。
【産業上の利用可能性】
【００４７】
この発明は、マイクロホンを用いて音声認識により呼び登録を行うエレベータの制御装置に利用できる。
【符号の説明】
【００４８】
１    乗りかご
２    エレベータ制御装置本体
３    行先階登録ボタン
４    マイクロホン
５    音声認識手段
６    記憶手段
７    登録音声信号
８    制御信号
９    表示器
１０    表示器制御手段
１１    登録情報
１２    乗場
１３    乗場呼び登録ボタン
【図１】
2011027442.tif 000003
【図２】
2011027442.tif 000004
【図３】
2011027442.tif 000005
【図４】
2011027442.tif 000006
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
エレベータの利用者が発した音声の入力を受け音声信号として出力するマイクロホンを用いて音声認識により呼び登録を行うエレベータの制御装置において、
画像を表示する表示器と、
前記表示器の表示内容の制御を行い、前記表示器に、呼び登録を行う対象として選択可能である対象のうちの１つを特定する画像を表示させる表示器制御手段と、
呼び登録を行う対象を指定するために用いる所定の音声の音声信号を、登録音声信号として予め記憶する記憶手段と、
前記マイクロホンから出力される前記音声信号と前記記憶手段から取得した前記登録音声信号とを比較し、これらが合致した場合に制御信号を前記表示器制御手段へと出力する音声認識手段と、を備え、
前記表示器制御手段は、前記音声認識手段からの前記制御信号を受信した場合に、この前記制御信号の受信時において前記表示器に表示させている画像により特定される対象を呼び登録を行う対象とする登録情報を、呼び登録を行うエレベータ制御装置本体へと出力することを特徴とするエレベータの制御装置。
【請求項２】
前記表示器制御手段は、前記表示器に表示される画像により前記特定される１つの対象が、所定の周期ごとに１つずつ変わるように、前記表示器の表示内容を制御することを特徴とする請求項１に記載のエレベータの制御装置。
【請求項３】
前記マイクロホン及び前記表示器は、前記エレベータの乗りかご内に設けられ、
前記呼び登録を行う対象は、前記エレベータが停止可能である階床であり、
前記表示器制御手段は、前記エレベータが停止可能である階床のうちの１つの階床を特定する画像を前記表示器に表示させるよう制御するとともに、前記音声認識手段からの前記制御信号の受信時において前記表示器に表示させている画像により特定される階床を呼び登録を行う対象とする登録情報を、前記エレベータ制御装置本体へと出力することを特徴とする請求項１又は請求項２のいずれかに記載のエレベータの制御装置。
【請求項４】
前記マイクロホン及び前記表示器は、前記エレベータの乗場に設けられ、
前記呼び登録を行う対象は、前記エレベータの進行方向であり、
前記表示器制御手段は、前記エレベータの進行方向のうちの１つの進行方向を特定する画像を前記表示器に表示させるよう制御するとともに、前記音声認識手段からの前記制御信号の受信時において前記表示器に表示させている画像により特定される進行方向を呼び登録を行う対象とする登録情報を、前記エレベータ制御装置本体へと出力することを特徴とする請求項１又は請求項２のいずれかに記載のエレベータの制御装置。
【国際調査報告】
2011027442.tif 000007
2011027442.tif 000008
2011027442.tif 000009
2011027442.tif 000010